(57)【特許請求の範囲】
【請求項１】
軸部と、該軸部から略垂直に延びる壁面部を備えた壁部材と、を有した被取付部材であって、前記壁部材には軸部の側面に至る切欠き部を備えた被取付部材に取り付けるダストカバーにおいて、
前記軸部の外周に嵌合される円筒部と、該円筒部から略垂直に延びて前記壁面部に対向する位置に配置されるフランジ部を有したフエルールと、
該フエルールに相対回転可能に取り付けられると共に、該フエルールに接触するシールリップを備えたダストカバー本体と、を備え、
前記フエルールの円筒部に、軸部に当接するシール部材を設けると共に、
前記フエルールのフランジ部に、周方向に所定の間隔で複数配置され、前記壁面部に当接する複数の突起を設けることを特徴とするダストカバー。
【発明の詳細な説明】
【０００１】
【発明の属する技術分野】
本発明は、例えば自動車の独立懸架装置のボールジョイント部に用いられるダストカバーに関するものである。
【０００２】
【従来の技術】
従来より、この種のダストカバーとしては、たとえば、図４に示すようなものがある。図４は従来技術に係るダストカバーを取り付けた状態を示す概略構成断面図である。
【０００３】
図に示したように、自動車の独立懸架装置のボールジョイントについて説明すると、１００はダストカバーを示しており、このダストカバー１００は、概略、ナックルアーム１０１に固定したボールスタッド１０２に嵌着されるフエルール１０３と、フエルール１０３に一方の口縁部１０４が嵌合される蛇腹状のダストカバー本体１０５とから構成されている。
【０００４】
ダストカバー本体１０５の他方の口縁部１０６はボールスタッド１０２のボール１０２ａが球面接触するソケット１０７が設けられたサスペンションロアアーム１０８の取付座部１０９に嵌着されている。
【０００５】
上記フエルール１０３に嵌合されるダストカバー本体１０５の口縁部１０４にはフエルール１０３に密接するリップ１０４ａが設けられていて、フエルール１０３と口縁部１０４との間を密封している。
【０００６】
フエルール１０３はボールスタッド１０２に嵌着する筒状部１１０と、筒状部１１０の上下端から半径方向外方に直角に張り出す上端フランジ１１１と下端フランジ１１２とによって断面コ字状に形成されていて、上端フランジ１１１がナックルアーム１０１に面接触して密着すると共に、筒状部１１０の内周がボールスタッド１０２に嵌着して密着していた。
【０００７】
また、図５に示したような、ピンチボルトタイプのボールジョイントにも適用されることが望まれている。
【０００８】
図５はダストカバーをピンチボルトタイプのボールジョイントに適用した概略図であり、（Ａ）はその正面図であり、（Ｂ）は（Ａ）を真上から見た図である。
【０００９】
図に示したように、ピンチボルトタイプの場合には、ナックルアーム１０１に外壁からボールスタッド１０２に至る切欠き１０１ａが設けられている。
【００１０】
【発明が解決しようとする課題】
しかしながら、上記のような従来技術の場合には、下記のような問題が生じていた。
【００１１】
上記のような構成の場合、ピンチボルトタイプに適用すると、切欠き１０１ａがボールスタッド１０２にまで至っているため、フエルール１０３の上端フランジ１１１とナックルアーム１０１の間でシールしても用をなさなかった。
【００１２】
また、フエルール１０３とダストカバー本体１０５の口縁部１０４とはゴム弾性によってボールスタッド１０２の揺動に追随して密封性能が維持できるものの、フエルール１０３の筒状部１１０とボールスタッド１０２とは金属同志の嵌合であり、フエルール１０３の上端フランジ１１１とナックルアーム１０１とは金属同志が接触しているだけなので、ボールスタッド１０２の揺動作動により、フエルール１０３の上端フランジ１１１とナックルアーム１０１の間に隙間が生じやすく、水やダスト等が侵入してシール不良が発生するという問題があった。
【００１３】
さらに、フエルール１０３の上端フランジ１１１とナックルアーム１０１の間に水やダストなどが堆積したままの状態で長時間使用すると、錆びが発生してボールスタッド１０２とフエルール１０３の筒状部１１０との間まで錆びが進行してシール不良を招くことがあった。
【００１４】
本発明は上記の従来技術の課題を解決するためになされたもので、その目的とするところは、ピンチボルトタイプに適用する場合にも確実にシールされ、密封性の向上を図った品質性に優れたダストカバーを提供することにある。
【００１５】
【課題を解決するための手段】
上記目的を達成するために本発明にあっては、軸部と、該軸部から略垂直に延びる壁面部を備えた壁部材と、を有した被取付部材であって、前記壁部材には軸部の側面に至る切欠き部を備えた被取付部材に取り付けるダストカバーにおいて、前記軸部の外周に嵌合される円筒部と、該円筒部から略垂直に延びて前記壁面部に対向する位置に配置されるフランジ部を有したフエルールと、該フエルールに相対回転可能に取り付けられると共に、該フエルールに接触するシールリップを備えたダストカバー本体と、を備え、前記フエルールの円筒部に、軸部に当接するシール部材を設けると共に、前記フエルールのフランジ部に、周方向に所定の間隔で複数配置され、前記壁面部に当接する複数の突起を設けることを特徴とする。
【００１６】
したがって、被取付部材の軸部とフエルールの円筒部との間がシール部材によりシールされるので、壁部材に軸部の側面に至る切欠き部が設けられていても適正にシールされ、また、壁面部に当接する突起を設けたので、振動による防音もなされると共に、突起を所定の間隔で複数設けたことで、壁面部にダストや水が堆積されることも防止される。
【００１７】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がないかぎりは、この発明の範囲をそれらのみに限定する趣旨のものではない。
【００１８】
図１、図２および図３を参照して、本発明の実施の形態に係るダストカバーについて説明する。
【００１９】
図１は本発明の実施の形態に係るダストカバーの概略構成断面図であり、図２は本発明の実施の形態に係るダストカバーの構成部品の概略構成図であり、（Ａ）はフエルールの平面図の一部であり、（Ｂ）は（Ａ）のＡＡ部を切断した断面図であり、（Ｃ）はダストカバー本体の断面図である。
【００２０】
また、図３は本発明の実施の形態に係るダストカバーを取り付けた状態を示す概略構成断面図である。
【００２１】
なお、説明を簡単にするため図３においては、ダストカバーやナックルアームのみ断面図としており、（Ａ）の右側には、ダストカバーをナックルアームに取り付けた際に、ナックルに設けられた切欠き部が示された側面図の一部を示している。
【００２２】
図に示したように、ダストカバーＤは、概略、フエルール１とダストカバー本体２と、から構成されている。
【００２３】
まず、フエルール１は、薄肉の金属により環状に形成されており、ボールスタッド５の軸部の外周５１に嵌合される円筒部としての嵌合部１２と、嵌合部１２から半径方向外方に突出して、ボールスタッド５の軸部から略垂直に固定された壁部材としてのナックル６の壁面部６１に対向する面を形成するフランジ部１１と、を有している。
【００２４】
そして、フエルール１を、被取付部材を構成する、ボールスタッド３およびナックル４に取り付けると、図３（Ａ）に示したように、嵌合部１２がボールスタッド５の軸部の外周５１を覆うように嵌合されて、また、フランジ部１１がナックル６の壁面部６１に対向する位置となる。
【００２５】
ここで、フエルール１の嵌合部１２の内周にはシール部材３が設けられており、また、フエルール１のフランジ部１１の図中上側には円周方向に所定の間隔で複数（本実施の形態においては４個）の突起４が設けられている。
【００２６】
なお、本実施の形態では、シール部材３と突起４を一体的にフエルール１に形成させているが、別々に設けることもできる。
【００２７】
また、シール部材３のうちフランジ部１１側の端部を図３（Ｂ）に示したように外周側に傾斜するようにＣ面を設ければダストや水が外方へ逃げやすくなり一層効果的である。
【００２８】
なお、突起４は図３（Ｃ）に示したように、リップ形状４１としても良い。
【００２９】
そして、フエルール１を被取付部材を構成する、ボールスタッド３およびナックル４に取り付けた際には、シール部材３がボールスタッド５の軸部の外周５１を密着してシールし、突起４がナックル６の壁面部６１に当接することになる。
【００３０】
次に、ダストカバー本体２は、その一方の口縁部２１はフエルール１に対して相対回転自在に取り付けられ、フエルール１のフランジ部１１の図中下部側、および、嵌合部１２の外周側に対して、摺動自在に接触するように、それぞれリップ２３，２４が設けられてシールしている。
【００３１】
なお、これらの接触面には、摺動抵抗を低減するために、通常、グリースなどが塗布されている。
【００３２】
また、ダストカバー本体２の他方の口縁部２２は、被取付部材側の取付座部７に嵌着されている。
【００３３】
以上のような構成によって、シール部材３により、ボールスタッド５の軸部の外周５１部でシールしたので、フエルール１のフランジ部１１とナックル６の壁面部６１との間（図３中矢印Ｑ）からダストや水が侵入してきた場合や、ピンチボルトタイプのように、ボルトＶのねじ込み部分に、切欠き６２がボールスタッド５にまで至っているような場合に、図３中矢印Ｐからダストや水が侵入してきた場合にも適正にシールすることができる。
【００３４】
そして、突起４をナックル６の壁面部６１に当接させて、フエルール１のフランジ部１１とナックル６との間に隙間を設けて、フエルール１とナックル６が直接接触しないようにしたので、振動等による干渉により発生する音を防止することができる。
【００３５】
また、この突起４は独立して円周方向に所定の間隔で複数設けて、フエルール１のフランジ部１１とナックル６との間を開放させたので、この隙間にダストや水などが堆積してしまうのを防止することができ、錆びの発生・進行を防止することができる。
【００３６】
【発明の効果】
本発明は、フエルールの円筒部に、被取付部材の軸部に当接するシール部材を設けたので、壁部材に軸部の側面に至る切欠き部が設けられていても適正にシールできるので、ピンチボルトタイプに適用する場合にも確実にシールでき、また、壁面部に当接する突起を設けたので、振動による防音も可能となると共に、突起を所定の間隔で複数設けたことで、壁面部にダストや水が堆積することを防いで錆びの発生や進行を防止できるので、密封性が向上し、品質性が向上する。
【図面の簡単な説明】
【図１】図１は本発明の実施の形態に係るダストカバーの概略構成断面図である。
【図２】図２は本発明の実施の形態に係るダストカバーの構成部品の概略構成図である。
【図３】図３は本発明の実施の形態に係るダストカバーを取り付けた状態を示す概略構成断面図である。
【図４】図４は従来技術に係るダストカバーを取り付けた状態を示す概略構成断面図である。
【図５】図５はダストカバーをピンチボルトタイプのボールジョイントに適用した概略図である。
【符号の説明】
１  フエルール
１１  フランジ部
１２  嵌合部
２  ダストカバー本体
３  シール部材
４  突起
５  ボールスタッド
５１  外周
６  ナックル
６１  壁面部
６２  切欠き
【図１】
0003663849.tif 000002
【図２】
0003663849.tif 000003
【図３】
0003663849.tif 000004
【図４】
0003663849.tif 000005
【図５】
0003663849.tif 000006